(57)【要約】本発明は、製品陳列棚に関するものであり、支持キャビネット（１３）と、該支持キャビネットに対してスライド可能に取り付けられた引き出し（８）とを備え、該引き出しは、製品群の一部及び調整可能な陳列ユニット（３）を有する。該ユニットは、引き出しの前端部に回動可能な状態で取り付けられており、該ユニットには、引き出し（８）に対して陳列ユニット（３）をそれぞれにロックするためのロック手段が設けられている。該陳列ユニット（３）は前記製品のうち、１個以上のサンプルを収容するのに好適である。【選択図】図１
2007508884.tif 000002
【特許請求の範囲】
【請求項１】
製品陳列台において、
少なくとも部分的に開かれる前面、及び後面を有する支持キャビネット（１３）と、
奥まった位置と引き出された位置との間で、上記支持キャビネット（１３）においてスライド可能とされて水平に取り付けられる、少なくとも１つの引き出し（８）であって、上記引き出された位置では当該引き出しが上記支持キャビネットの上記前面の方向に変位しており、少なくとも製品のいくつかを格納するのに適し、かつ上記支持キャビネットの上記前面の方向を向いた前端を有する引き出しと、を備え、
さらには、少なくとも１つの調整可能な陳列ユニット（３）であって、上記支持キャビネットの前面にほぼ平行とされる水平の回動軸を中心として、上記引き出しの前端にて回動可能な状態で接続手段（５）により取り付けられた陳列ユニットと、
上記陳列ユニット（３）を上記引き出し（８）に対して選択的にロックするために設けられたロック手段と、を備えるとともに、
上記陳列ユニット（３）が、上記製品の１個以上のサンプルを展示するのに適しており、かつ、上記支持キャビネットの前面付近に立っている人が、上記陳列ユニットの中身を見ることができるように台が配置されることを特徴とする製品陳列台。
【請求項２】
上記陳列ユニットは、該陳列ユニットがほぼ水平に延長される第１の位置と、該陳列ユニットが引き出し（８）から下方に延長される第２の位置との間で回動し得るように構成されていることを特徴とする請求項１に記載の製品陳列台。
【請求項３】
陳列ユニット（３）は、照明手段（１１）が装備される下面を有することを特徴とする請求項１又は２に記載の製品陳列台。
【請求項４】
上記陳列ユニット（３）が、
上面（２３ａ）を有する棚（２３）と、
１個以上の上記サンプルを展示するのに適したブロック（７）であって、該ブロックを上記棚（２３）に取り付けるために、該棚の上面（２３ａ）と連携するのに適した下面（７ａ）を有するブロックと、を備えていることを特徴とする請求項１乃至３のいずれか一項に記載の製品陳列台。
【請求項５】
上記ブロック（７）の上記した下面（７ａ）が、上記棚（２３）の上記した上面（２３ａ）と、解除可能に連携することを特徴とする請求項４に記載の製品陳列台。
【請求項６】
上記ブロック（７）は、上記サンプルを受け入れるのに適したセル（６）が設けられた上面（７ｂ）を含むことを特徴とする請求項４又は５に記載の製品陳列台。
【請求項７】
上記ロック手段が、摩擦により係り合う、上記引き出しの一部（１６、３０）及び上記陳列ユニットの一部（１７）を有することを特徴とする請求項１乃至６のいずれか一項に記載の製品陳列台。
【請求項８】
上記陳列ユニット（３）と上記引き出し（８）が、該陳列ユニット（３）に接続されたジャーナル部（１７）及び引き出し（８）の前部（１６）により、ヒンジで連結されており、かつ、上記引き出しに対してジャーナル部が回動し得るようにされるとともに該ジャーナル部が複数のハウジング（２９）を有しており、
上記ロック手段が、
上記引き出し（８）に取り付けられて回動軸とされ、かつ、ロック位置と非ロック位置との間で、上記ジャーナル部に対してスライドするのに適した、少なくとも１本のロッド（１５）と、
上記ロック位置では上記ハウジングの１つに選択的に係合し、かつ、上記非ロック位置では該ハウジングから外れるようにするための、少なくとも１つの歯（１４）と、を有することを特徴とする請求項１乃至７のいずれか一項に記載の製品陳列台。
【請求項９】
上記引き出し（８）は、その前端付近において、上記製品の１個以上のサンプル（６）を格納するのに適した陳列部（１２）を含んでおり、上記支持キャビネットの前面付近にいる人が引き出し（８）の陳列部（１２）を見ることができるように台が配置されることを特徴とする請求項１乃至８のいずれか一項に記載の製品陳列台。
【請求項１０】
上記引き出しは、上記陳列部の後方にて、上記製品のうちの少なくともいくつかを収容するための格納部をさらに有することを特徴とする請求項９に記載の製品陳列台。
【発明の詳細な説明】
【技術分野】
【０００１】
本発明は、製品陳列台に関する。より詳しくは、本発明は製品を展示するための台（スタンド）に関するものであって、少なくとも部分的に開かれる前面と、後面とを有する支持キャビネットと、奥まった位置と引き出された位置との間でスライド可能であって、かつ支持キャビネットに対して水平に取り付けられる、少なくとも１つの引き出しと、を備えており、上記引き出された位置では引き出しが支持キャビネットの前面の方向に変位され、該引き出しが少なくとも上記製品のいくつかを収容するのに好適であって、かつ、支持キャビネットの前面の方向を向いた前端を有するものである。
【背景技術】
【０００２】
パッケージ化された製品群を、製品陳列台の引き出しに格納することができ、人は必要に応じてこれらの製品に対して容易に近づくことができる。
【発明の開示】
【発明が解決しようとする課題】
【０００３】
しかしながら、別の人が台を配置した場合には、これらのパッケージ化された製品がどの引き出しに置かれているかを知ることが困難である。さらには、一連の製品群が、多くの場合に、とても似通った方法でパッケージ化されており、少数のテキスト（文）だけが相違する場合には、数多くの引き出しから所望の製品を探し出す必要が生じ得る。
本発明の目的は、特に、以上の欠点を軽減することにある。
【課題を解決するための手段】
【０００４】
この目的を達成するために、本発明では、上述した特長とは別に、製品陳列台がさらに、
支持キャビネットの前面に対してほぼ平行とされる水平な回動軸を中心として、引き出しの前端において接続手段により回動可能な状態で取り付けられている、少なくとも１つの調整可能な陳列ユニットと、
引き出しに対して陳列ユニットを選択的にロックするために設けられたロック手段と、を備えており、
上記陳列ユニットが上記製品の１個以上のサンプルを展示するのに好適であって、かつ、支持キャビネットの前面付近に立つ人が、陳列ユニットの内容を見ることができるように台が配置されることを特徴とする。
【０００５】
このような配置に基づいて、引き出しに配列された製品を代表するサンプルが、引き出しに対して直接に接続された陳列ユニット上に置かれ、これにより、サンプルに対応する製品を探すべき場所を知ることができる。
【０００６】
また、引き出しに対して陳列ユニットがヒンジで動くようにすると、例えば、台全体としての位置決めに関連するレイアウトの外観上の制約に対して、より簡単に適合することができる。
【０００７】
引き出し内の製品群は個別に詰め込まれるが、これは、当該製品を引き出しに多数格納するとともに、陳列ユニットにおけるパッケージ化されていないサンプルを展示することができ、外部の観察者が製品を正確に表現したものを把握することができるようにするためである。
【０００８】
本発明の好ましい実施形態においては、さらに、以下に配置されるもののいずれか１つ及び／又は他のものを用いることができる。
陳列ユニットが、ほぼ水平方向に延長される第１の位置と、引き出しから下方に延長される第２の位置との間で回動し得るように構成されていること；
陳列ユニットは、照明手段が装備される下面を有すること；
陳列ユニットが、
・上面を有する棚と、
・１個以上のサンプルを展示するのに適したブロックであって、該ブロックを上記棚に取り付けるために、上記棚の上面と連携するのに適した下面を有するブロックと、を有すること；
上記ブロックの下面が、上記棚の上面に対して解除可能に連携していること；
上記ブロックは、上記サンプルを受け入れるのに好適なセルが設けられた上面を有すること；
ロック手段が、摩擦によって連携する、引き出しの一部及び陳列ユニットの一部を含むこと；
陳列ユニットと引き出しとが、陳列ユニットに接続されたジャーナル部及び引き出しの前部によって、ヒンジで連結されており、該ジャーナル部は、引き出しの前部に対して回動するのに好適とされ、かつ複数のハウジングを有すること、
そして、上記ロック手段が、
・引き出しに取り付けられて回動軸とされ、かつ、ロック位置と非ロック位置との間でジャーナル部に対してスライドするのに好適とされる、少なくとも１本のロッドと；
・ロック位置では上記ハウジングの１つと選択的に連携し、非ロック位置では上記ハウジングから外れるようにするために好適な構成とされ、かつ上記ロッドに取り付けられる、少なくとも１個の歯と；
からなること、そして、
引き出しが、その前端付近において、上記製品の１個以上のサンプルを含むのに適した陳列部を有しており、支持キャビネットの前面付近にいる人が、引き出しの陳列部を視認できるように、台が配置されること；
さらに、引き出しが、陳列部の後方において、少なくとも上記製品のいくつかを収容するのに適した格納部を有すること。
【発明を実施するための最良の形態】
【０００９】
本発明の更なる特長や利点は、非限定的な一例として与えられる実施形態に関して、以下の説明及び添付図面を参照することにより明らかとなる。
【００１０】
図１は、床面に設置される支持キャビネット１３を有する台を示している。この台には、例えば、一枚のシート状のガラス又は好適なプラスティックのような透明要素を用いた前面が設けられており、台の内部へと近づくことができるように、例えば、図１の断面に対して直交する方向に沿ってスライドさせることで、前面を選択的に開いたり閉じたりすることができるようになっている。また、この台は、例えば、垂直に延びる剛体の後面１３ａを備えている。当該台の後面には、いくつかの支持部２が堅牢な方法で互いの上方に固定されている。それらは、例えば、水平方向に配置されている。
【００１１】
これらの支持部２は、デバイス１を動かせるように受け入れるのに各々好適であり、該デバイスには製品１０（図２参照）が格納されて受け入れられる。デバイス１は、特に、支持部２に対して、引き出された位置では台の前面に向けてスライドし、後退した位置では台の後ろ側に向かってスライドすることが可能な引き出し８を備えている。そして、陳列ユニット３は、図１の面に垂直であって、台の前面及び後面に対してほぼ平行な軸を中心として、各引き出しの前面においてヒンジで動くようになっている。
【００１２】
特に気づくことは、支持部２が互いに異なるサイズをもっており、サイズの異なる引き出し８が受け入れられること、そして、各引き出しに対してそれぞれの陳列ユニットが異なる方向に傾いていることである。従って、さまざまなタイプの製品を同じ陳列台に受け入れて、陳列し、格納することができる。尚、陳列ユニット３は、その下面に照明要素１１、例えば、ランプを具備してもよく、上方に位置する陳列ユニットの傾きを調整することで、その直ぐ下方に位置する陳列ユニットを、当該ランプ１１で全体的に照明することができる。
【００１３】
台については、例えば、その前面が、上方にいくにつれて後面に向けて傾斜していてもよく、その際、支持部２は次第に短くなる。よって、最も下位の陳列ユニットはほぼ水平状態とされ、台の上方にいくほどに、陳列ユニットが次第に傾いていく。
【００１４】
図２は、製品陳列デバイス１を詳細に示しており、支持部２の上には、引き出しが少なくとも部分的に位置されている。
【００１５】
陳列ユニット３には、その少なくとも一部分において、入手可能な製品又は製品群の特長を示すためのサンプルが陳列され、第１の方向「ｙ１」、つまり、陳列ユニット全体の平面に直交し、かつ一般には鉛直方向に対して傾斜した方向においてユーザが製品を容易に視認することができる。
【００１６】
陳列ユニット３はさらに、把持部２６を有しており、この部分を把持して引き出すことで、デバイス１をユーザの側に持ってくることができる。
【００１７】
引き出し８は格納部４を有しており、これには、例えば、鉛直方向に配置され、かつ陳列部で展示される、１個以上の製品の実例が収納される。これらの製品については主に、引き出しを台の前面の方向に引いた場合に、ほぼ鉛直な方向「ｙ２」においてユーザが目視できる。
【００１８】
陳列ユニット３及び引き出し８は、引き出しの前端近くに位置された接続手段５によって互いに接続されている。このように接続すると、陳列ユニット３の傾きを調整することができ、例えば、外部の様々な観察者に対して陳列部を容易に提示し、あるいは台のレイアウトに適合させることができる。尚、これらの接続手段の例については、後で詳述する。
【００１９】
図２の例では、陳列ユニット３が主に、平行六面体状をした棚２３を有しており、これは観察者の方向を向いた上面２３ａを有する。棚２３の前面及び上面の前部２３ｂには、例えば、展示されたサンプルの特長や性質についての情報も含まれる。
【００２０】
本実施例に示されるように、サンプルは、ほぼ平行六面体状をしたブロック７に配列されており、その下面７ａが棚２３の上面２３ａに位置されている。
【００２１】
ブロック７は、以下のような、複数の既知の技術を用いて棚に取り付けることができる。
ブロックの下面７ａの突起（図示せず）を、陳列ユニット上でこれに対応する開口部（図示せず）に嵌めること。
ブロック７及び／又は棚２３に一体化されたマグネット手段を用いるとともに、これらのマグネット手段が、棚２３及び／又はブロック７にそれぞれ一体化された補足的なマグネット又は強磁性体要素と協同すること。
上記２つの技術を組み合わせるか又は他の技術を組み合わせること。
【００２２】
ブロック７は、それ故、簡単な方法で棚２３の上に、解除可能な状態で取り付けられ、これにより、各種の製品を続々と展示するために該ブロックを使用できるという効果が得られる。
ブロック７の上面７ｂはセル６を含んでおり、それらは、列及び行に沿って規則的に配列され、製品１０を代表するサンプルを受け入れるのに適している。各サンプルは、展示される製品の正確な複製品であるか、又は各種製品の重要な特長を示す簡単な参考品である。
【００２３】
別の実施形態においては、ブロック７の上面７ｂが平坦とされ、サンプルが、例えば、当該上面に接着された、色ディスクであり、これは当該色によって特徴づけられる口紅を展示するためのものである。
【００２４】
また、別の実施形態では、サンプルがブロック７を用いて展示されないが、該サンプルが適宜の手段によって棚２３の面上に直接的に配列されてもよい。
【００２５】
引き出し８は下面８ｂを有しており、台に接続される水平の支持部２の上に置かれてスライドされる。この引き出し８は製品１０を受け入れるのに好適であって、それらのうちの代表的なサンプルが陳列ユニット３上に展示される。製品１０は一括されて、外部の観察者が取り出せるように用意される。該サンプルが陳列ユニット上で規則的に配列されるのと同じか又は同様の方法で、例えば、引き出し８には製品１０が配列されるが、これはサンプルに対応する製品をすぐに見つけられるようにするためである。
【００２６】
サンプルは、必ずしも、外部の観察者が見るためだけに設計されることを要さず、それらは、例えば、香水のサンプルのように、外部の観察者が香りを嗅ぐために設計されてもよい。
【００２７】
デバイス１はまた、棚の下面２３ｃに設けられるランプ１１のような、照明手段を備えてもよい。該照明手段１１は、例えば、ランプ１１から引き出し８の後端へと延びて電源に接続される、電線（図示せず）を通して電力の供給を受ける。その他には、該デバイスが、ランプ１１に接続される取り外し可能なバッテリ（図示せず）を含んでいても構わない。
【００２８】
陳列ユニット３と引き出し８は、ヒンジを構成する接続手段５（例えば、ピボットタイプ）によって接続される。そのようなヒンジは、多種多様な手段によって実現することができる。
【００２９】
例えば、図３に示すように、陳列ユニット３に固定されたジャーナル部１７は、引き出し８に対して選択的に回動することができる。これは、与えられた傾き角度において、陳列ユニットに何ら力をかけずに、ヒンジでのジャーナル部１７と引き出し８との摩擦だけでもって、陳列ユニット３と引き出し８とを互いの相対的な位置で保持するのに適した方法で行われる。
【００３０】
さらには、接続手段５によって、引き出し８と陳列ユニット３との間の傾きを、ある傾動範囲内で変化させることができる。この範囲は、例えば、陳列ユニットが水平である位置と、陳列ユニットが引き出しに対して１０乃至９０°程度の角度をもって下方に傾いた位置との間に及んでいる。この範囲内において、引き出し及び陳列ユニットを、幾多の中間的な相対位置に調整することができる。
【００３１】
見てのとおり、図３には、単にヒンジ構造が示されている。尚、同じ動きが可能な他のヒンジについても、本発明の範囲内で使用することができる。
【００３２】
ジャーナル部１７は陳列ユニット３に取り付けられ、該ジャーナル部は、引き出しの前部１６の一端３０とは相補的な形状をもち、１つの円筒状の凹部１７ａを有しており、ユーザの操作により回動される。ユーザが陳列ユニットに力をかけないときには、これらの部分が両者間の摩擦だけで互いにロックされる。
【００３３】
ロック手段の変形例としては、図４に示すようなロック機構を用いて構成することができる。
【００３４】
陳列ユニット３に取り付けられたジャーナル部１７は、回動軸（ｐｉｖｏｔ  ａｘｉｓ）に沿って延びるとともに円筒状に貫かれた凹部１７ａと、回動軸に垂直な内面１７ｂとを有する。そして、その外面に、複数の窪んだハウジング２９が設けられた構成とされている。
【００３５】
引き出し８の前部１６もまた、円筒状に貫かれた凹部を有しており、陳列ユニットと引き出しを組み立てる場合に、該凹部が、ジャーナル部の凹部に対して位置合わせされる。さらには、非円筒形状、例えば、矩形状断面の室２７が設けられている。
【００３６】
本構造はまた、円筒状の釦部２１を含んでいる。これには歯１４が設けられ、それらは釦部２１の内面２１ａに規則的な角度間隔をもって配列されるとともに、ジャーナル部１７の外面のハウジングに対して相補的な形状を有しており、ロック位置でハウジング内に収容される。
【００３７】
釦部２１は、円筒状の凹部１７ａ内でスライドするのに好適なロッド１５に取り付けられている。該ロッドはまた、フランジ２２に取り付けられている。このロッドは、第１の端がフランジ２２に接触しかつ第２の端がジャーナル部の内面１７ｂに接触している圧縮スプリング２０を支えている。該ロッドは、引き出しの前部１６の室２７に対して相補的な断面を有する、大径の端部１９を有する。
【００３８】
このような配置によって、ロッド１５は、引き出しに対して直進運動のみを行うことが許される。
この構造を非ロックの状態とするためには、操作者が、スプリング２０による付勢に抗して、図４の左方に釦部２１を変位させて、歯１４を、これに対応するジャーナル部のハウジングから解放する。このとき、ジャーナル部１７と陳列ユニットは、例えば、操作者の作用下において、引き出しの前部１６に対して自由に回動し得る。
【００３９】
所望の方向が一旦決まると、釦部２１を解放することによってヒンジが再びロックされるが、その際には、釦部２１はスプリング２０によってロック位置へと戻される。
【００４０】
図５は、デバイス１の第２の実施形態を示しており、その特長の大半を述べると上記の繰り返しとなる。
この第２の実施形態においては、引き出し８が上記したように格納部４を含んでおり、上記した第１の陳列部と同様なタイプとされる、第２の陳列部１２をも含んでいる。
【図面の簡単な説明】
【００４１】
【図１】本発明による陳列台の側面図である。
【図２】本発明による引き出し及び陳列ユニットの斜視図である。
【図３】図２に示す引き出し及び陳列ユニットのヒンジ構造を、その回動軸に沿って切断して部分的に示す断面図である。
【図４】ロック位置と非ロック位置との間の中間的な位置において、ヒンジ構造をさらに示すために回動軸に沿って切断した断面図である。
【図５】本発明の変形例による引き出し及び陳列ユニットの斜視図である。
【図１】
2007508884.tif 000003
【図２】
2007508884.tif 000004
【図３】
2007508884.tif 000005
【図４】
2007508884.tif 000006
【図５】
2007508884.tif 000007
【手続補正書】
【提出日】平成17年8月17日(2005.8.17)
【手続補正１】
【補正対象書類名】特許請求の範囲
【補正対象項目名】全文
【補正方法】変更
【補正の内容】
【特許請求の範囲】
【請求項１】
製品陳列台において、
少なくとも部分的に開かれる前面、及び後面を有する支持キャビネット（１３）と、
奥まった位置と引き出された位置との間で、上記支持キャビネット（１３）においてスライド可能とされて水平に取り付けられる、少なくとも１つの引き出し（８）であって、上記引き出された位置では当該引き出しが上記支持キャビネットの上記前面の方向に変位しており、少なくとも製品のいくつかを格納するのに適し、かつ上記支持キャビネットの上記前面の方向を向いた前端を有する引き出しと、を備え、
さらには、少なくとも１つの調整可能な陳列ユニット（３）であって、上記支持キャビネットの前面にほぼ平行とされる水平の回動軸を中心として、上記引き出しの前端にて回動可能な状態で接続手段（５）により上記引き出し（８）に対して取り付けられた陳列ユニットと、
上記陳列ユニット（３）を上記引き出し（８）に対して選択的にロックするために設けられたロック手段と、を備えるとともに、
上記陳列ユニット（３）が、上記製品の１個以上のサンプルを展示するのに適しており、かつ、上記支持キャビネットの前面付近に立っている人が、上記陳列ユニットの中身を見ることができるように台が配置されることを特徴とする製品陳列台。
【請求項２】
上記陳列ユニットは、該陳列ユニットがほぼ水平に延長される第1の位置と、該陳列ユニットが引き出し（８）から下方に延長される第２の位置との間で回動し得るように構成されていることを特徴とする請求項１に記載の製品陳列台。
【請求項３】
陳列ユニット（３）は、照明手段（１１）が装備される下面を有することを特徴とする請求項１又は２のいずれかに記載の製品陳列台。
【請求項４】
上記陳列ユニット（３）が、
上面（２３ａ）を有する棚（２３）と、
１個以上の上記サンプルを展示するのに適したブロック（７）であって、該ブロックを上記棚（２３）に取り付けるために、該棚の上面（２３ａ）と連携するのに適した下面（７ａ）を有するブロックと、を備えていることを特徴とする請求項１乃至３のいずれか一項に記載の製品陳列台。
【請求項５】
上記ブロック（７）の上記した下面（７ａ）が、上記棚（２３）の上記した上面（２３ａ）と、解除可能に連携することを特徴とする請求項４に記載の製品陳列台。
【請求項６】
上記ブロック（７）は、上記サンプルを受け入れるのに適したセル（６）が設けられた上面（７ｂ）を含むことを特徴とする請求項４又は５に記載の製品陳列台。
【請求項７】
上記ロック手段が、摩擦により係り合う、上記引き出しの一部（１６、３０）及び上記陳列ユニットの一部（１７）を有することを特徴とする請求項１乃至６のいずれか一項に記載の製品陳列台。
【請求項８】
上記陳列ユニット（３）と上記引き出し（８）が、該陳列ユニット（３）に接続されたジャーナル部（１７）及び引き出し（８）の前部（１６）により、ヒンジで連結されており、かつ、上記引き出しに対してジャーナル部が回動し得るようにされるとともに該ジャーナル部が複数のハウジング（２９）を有しており、
上記ロック手段が、
上記引き出し（８）に取り付けられて回動軸とされ、かつ、ロック位置と非ロック位置との間で、上記ジャーナル部に対してスライドするのに適した、少なくとも１本のロッド（１５）と、
上記ロック位置では上記ハウジングの１つに選択的に係合し、かつ、上記非ロック位置では該ハウジングから外れるようにするための、少なくとも１つの歯（１４）と、を有することを特徴とする請求項１乃至７のいずれか一項に記載の製品陳列台。
【請求項９】
上記引き出し（８）は、その前端付近において、上記製品の１個以上のサンプル（６）を格納するのに適した陳列部（１２）を含んでおり、上記支持キャビネットの前面付近にいる人が引き出し（８）の陳列部（１２）を見ることができるように台が配置されることを特徴とする請求項１乃至８のいずれか一項に記載の製品陳列台。
【請求項１０】
上記引き出しは、上記陳列部の後方にて、上記製品のうちの少なくともいくつかを収容するための格納部をさらに有することを特徴とする請求項９に記載の製品陳列台。
【国際調査報告】
2007508884.tif 000008
2007508884.tif 000009
2007508884.tif 000010
2007508884.tif 000011